(57)【要約】【課題】パチンコ機等の遊技機において、興趣の飛躍的な向上を図る。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１は、中央部が前後方向に貫通した前ベース枠及び後ベース枠を備え、全体として枠体形状となっている。センターフレーム２１の一部に装飾手段が設けられている。装飾手段は、前後方向に重複配置される複数枚の前記板状体をそれぞれ取付可能な取付部を有する取付手段を具備している。【選択図】　　　　　図１
2004065446.tif 000002
【特許請求の範囲】
【請求項１】
互いに重複配置された複数枚の板状体を有する装飾手段を備えた遊技機において、前記装飾手段は、各板状体を各々取付け可能な取付部を有する取付手段を具備していることを特徴とする遊技機。
【発明の詳細な説明】
【０００１】
【発明の属する技術分野】
本発明は、装飾手段を備えてなる遊技機に関するものである。
【０００２】
【従来の技術】
従来、遊技機の一種として、パチンコ機等が知られている。パチンコ機は遊技盤において遊技領域を備えている。また、遊技盤には、各種装飾手段が設けられている。近年、例えば、ＬＥＤ等のランプからの光を、所定の板状体を介して外部より視認させるよう構成された装飾手段が知られるようになってきている。板状体には、例えば平坦なものや、表面に微細な凹凸が形成されたものや、レンズ状のもの等があり、かかる板状体の存在により、光の視認態様に個性が付与されたりする。そして、遊技状況に応じて前記ＬＥＤ等を点滅させたりすることで、装飾効果、演出効果を高める等の工夫がなされている。
【０００３】
【発明が解決しようとする課題】
ところで、上記のような装飾手段において、複数枚の板状体が互いに重ね合わされた状態で取付けられることがある。この場合、複数枚の板状体を位置合わせし、かつ、互いに重ね合わせた上で、係止爪に係止させることが考えられる。しかしながら、このように複数枚の板状体をまとめて係止する構成とした場合、板状体の取付に際し、相互間での位置合わせ状態を保持しつつ係止させる必要があり、取付作業が困難なものとなってしまうおそれがある。また、取付を容易にするべく比較的余裕をもって係止爪が設けられているような場合には、複数枚の板状体が全てがたつき、取付状態の安定性、安定した視認態様が損なわれてしまうおそれもある。
【０００４】
なお、上記課題は、パチンコ機に限られるものではなく、スロットマシンをはじめとする、装飾機能を具備する遊技機全般に共通して内在するものである。
【０００５】
そこで、本発明は、装飾手段を備えた遊技機において、取付状態等の安定化を図ることができる遊技機を提供することを目的の１つとしている。
【０００６】
【課題を解決するための手段及びその効果】
上記の課題を解決するために有効な手段等を以下に示す。なお、必要に応じてその作用、効果等についても説明する。
【０００７】
手段１．互いに重複配置された複数枚の板状体を有する装飾手段を備えた遊技機において、前記装飾手段は、各板状体を各々取付け可能な取付部を有する取付手段を具備していることを特徴とする遊技機。
【０００８】
手段１によれば、装飾手段が、互いに重複配置された複数枚の板状体を各々取付け可能な取付部を有する取付手段を具備している。かかる構成を採用することで、複数の板状体を取付ける場合においても、相互の位置ずれ等を懸念することなく個々の板状体をそれぞれ確実に所定位置に取付けることができる。従って、取付状態の安定化を図ることができる。また、各板状体をしっかりと取付けることができるよう取付部を設計することで、個々の板状体ががたつくことなく取付状態を維持することができる。そのため、取付状態における安定化を図ることができるとともに、がたつき等によって視認態様が阻害されてしまうといった不具合をも抑制できる。
【０００９】
手段２．照射手段からの照射光を、透光性を有し、前後方向に重複配置された複数枚の板状体を介して外部より視認可能とした装飾手段を備えた遊技機において、前記装飾手段は、各板状体を各々取付け可能な取付部を有する取付手段を具備していることを特徴とする遊技機。
【００１０】
手段２によれば、照射手段からの照射光が複数枚の板状体を介して外部から視認される。このため、各板状体の構成に基づく光の視認態様を、遊技者は堪能することができる。さて、手段２では、装飾手段が、複数枚の板状体を各々取付け可能な取付部を有する取付手段を具備している。かかる構成を採用することで、複数の板状体を取付ける場合においても、相互の位置ずれ等を懸念することなく個々の板状体をそれぞれ確実に所定位置に取付けることができる。従って、取付状態の安定化を図ることができる。また、板状体をしっかりと取付けることができるよう取付部を設計することで、個々の板状体ががたつくことなく取付状態を維持することができる。そのため、取付状態における安定化を図ることができるとともに、がたつき等によって視認態様が阻害されてしまうといった不具合をも抑制できる。
【００１１】
手段３．取付枠と、
前後方向に重複配置された状態で前記取付枠に対し取り付けられた透光性を有する複数枚の板状体と、
前記板状体の背面側に設けられた照射手段と
を有し、前記照射手段からの照射光を、前記複数枚の板状体を介して外部より視認可能とした装飾手段を備えた遊技機において、
前記取付枠は、各板状体を各々取付けるための取付部を具備していることを特徴とする遊技機。
【００１２】
手段３によれば、照射手段からの照射光が複数枚の板状体を介して外部から視認される。このため、各板状体の構成に基づく光の視認態様を、遊技者は堪能することができる。さて、手段３では、取付枠は、複数枚の板状体を各々取付けるための取付部を具備している。かかる構成を採用することで、複数の板状体を取付ける場合においても、相互の位置ずれ等を懸念することなく個々の板状体をそれぞれ確実に所定位置に取付けることができる。従って、取付状態の安定化を図ることができる。また、板状体をしっかりと取付けることができるよう取付部を設計することで、個々の板状体ががたつくことなく取付状態を維持することができる。そのため、取付状態における安定化を図ることができるとともに、がたつき等によって視認態様が阻害されてしまうといった不具合をも抑制できる。
【００１３】
手段４．前記取付枠は、開口部を有するべく環状をなし、前記開口部に対応して前記板状体が取付けられていることを特徴とする手段３に記載の遊技機。
【００１４】
手段４によれば、板状体の周囲が外周側から保持される格好となるため、相対的な位置ずれ等を起こしにくく、一層の取付状態の安定化を図ることができる。
【００１５】
手段５．前記取付枠は、前記板状体の取付に際し前記板状体を所定位置に案内するための案内部を有していることを特徴とする手段３又は４に記載の遊技機。
【００１６】
手段５によれば、案内部の存在により、板状体が所定位置に円滑に案内される。従って、取付作業性のさらなる向上を図ることができる。
【００１７】
手段６．前記各板状体は、互いに当接状態で取付けられていることを特徴とする手段１乃至５のいずれかに記載の遊技機。
【００１８】
手段６によれば、各板状体が互いに当接していることから、全体的な厚みを最小限に抑えることができる。結果として、装飾手段のコンパクト化を図ることができる。
【００１９】
手段７．取付部は、一端側に配置される特定の板状体の一方の面の縁部を支持可能な支持部と、当該特定の板状体の他方の面の縁部を係止可能な特定係止部と、他の板状体の他方の面の縁部を各々係止可能な他の係止部とを備えていることを特徴とする手段６に記載の遊技機。
【００２０】
手段７によれば、他の板状体の一方の面は、隣接する板状体の他方の面で支持されることとなるため、板状体の両面側をそれぞれ係止等したりする必要がない。従って、取付部の数の低減を図ることができ、結果として、装飾手段の構成の簡素化を図ることができる。
【００２１】
手段８．前記支持部、特定係止部、及び他の係止部は、周長方向に沿って複数設けられ、かつ、互いに隣り合う支持部同士の間隔、或いは、隣り合う特定係止部同士の間隔、及び、隣り合う係止部同士の間隔がそれぞれほぼ等しく構成されていることを特徴とする手段７に記載の遊技機。
【００２２】
手段８によれば、各支持部、各特定係止部、各係止部をそれぞれ相対的にバランスよく配設することにより、より取付状態の安定化を図ることができる。ひいては、各支持部、各特定係止部、各係止部の数の低減を図ることができ、結果として、装飾手段の構成の簡素化を図ることができる。
【００２３】
手段９．前記板状体には、自身よりも他方の面側に取付けられる板状体を係止するための係止部に対応する切り欠きが形成されていることを特徴とする手段７又は８に記載の遊技機。
【００２４】
手段９によれば、各板状体の取付が他の板状体を係止するための係止部によって阻害されてしまうことが起こりにくく、取付作業をより円滑に行うことができる。また、取付作業に際しての位置決めをも行いやすくなる。
【００２５】
手段１０．前記特定係止部及び前記他の係止部は、前後方向において互いに重ならないよう配設されていることを特徴とする手段９に記載の遊技機。
【００２６】
手段１０によれば、各板状体の取付が他の板状体を係止するための係止部によって阻害されることなく、取付作業をより円滑に行うことができる。また、取付手段を金型等で成形しようとした場合、型構造が複雑にならないというメリットもある。
【００２７】
手段１１．少なくとも１枚の前記板状体には、突起が設けられており、該突起により自身の取外しを容易ならしめるよう構成したことを特徴とする手段１乃至１０のいずれかに記載の遊技機。
【００２８】
手段１１によれば、板状体の取外し作業を容易に行うことができる。
【００２９】
手段１２．各板状体には、それぞれ突起が設けられており、該突起により少なくとも自身の取外しを容易ならしめるよう構成したことを特徴とする手段１乃至１０のいずれかに記載の遊技機。
【００３０】
手段１２によれば、全ての板状体の取外し作業を容易に行うことができる。
【００３１】
手段１３．前記板状体のうち、最前部側の板状体は、透明平板状をなしていることを特徴とする手段１乃至１２のいずれかに記載の遊技機。
【００３２】
手段１３によれば、最前部側の板状体が透明平板状をなしているため、それよりも奥側の板状体の視認態様を阻害することなく、しかも、保護パネルとして機能する。
【００３３】
手段１４．遊技媒体として遊技球を用い、遊技球が流下可能な遊技領域を有する遊技盤を具備する遊技機であって、前記最前部側の板状体に、前記遊技球が接触可能に構成されていることを特徴とする手段１３に記載の遊技機。
【００３４】
手段１４によれば、最前部側の板状体に遊技球が当たったりすることが懸念されるが、当該板状体は単に平板状をなしているため、奥側の板状体の保護パネルとして機能し、奥側の板状体に遊技球が直接当たることによる視認態様への悪影響を防止することができる。
【００３５】
手段１５．前記最前部側の板状体とは別の板状体は、前記照射手段から照射される光の視認態様に装飾効果をもたらすべく、加工が施されていることを特徴とする手段１３又は１４のいずれかに記載の遊技機。
【００３６】
手段１５によれば、加工が施された板状体の損傷をより確実に防止できる。
【００３７】
手段１６．前記各板状体は、互いに異なる透光特性を具備していることを特徴とする手段１乃至１５のいずれかに記載の遊技機。
【００３８】
手段１６によれば、互いに異なる透光特性を具備する板状体を重複配置することで、より面白味のある視認態様を導出することができる。
【００３９】
手段１７．手段１乃至１６のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。
【００４０】
手段１８．手段１乃至１６のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００４１】
手段１９．手段１乃至１６のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００４２】
【発明の実施の形態】
以下、パチンコ遊技機（以下、単に「パチンコ機」という）の一実施の形態を、図面に基づいて詳細に説明する。
【００４３】
図１に示すように、パチンコ機１は、外枠２と、該外枠２の前部に設けられ外枠２の一側部にて開閉可能に支持された前面枠３とを備えている。
【００４４】
前面枠３の前面側にはガラス扉枠４が開閉自在に設けられている。前面枠３の後側（ガラス扉枠４の奥、外枠２の内側）には、遊技盤５が着脱可能に装着されている。
【００４５】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００４６】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４７】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４８】
さて、可変表示装置１４は、液晶表示部２０と、該液晶表示部２０を囲むように設けられたセンターフレーム２１とを備えている。
【００４９】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００５０】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５１】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。
【００５２】
次に、上記センターフレーム２１について図２乃至図４を参照しつつ説明する。センターフレーム２１は、中央部が前後方向に貫通した前ベース枠２２及び後ベース枠２３を備え、全体として枠体形状となっている。
【００５３】
後ベース枠２３の中央部には前記液晶表示部２０に対応した略矩形状の窓枠部２４が形成されている。窓枠部２４の周囲には、その前端部から遊技盤５に沿って略平板状の上板部２５、右板部２６、左板部２７及び下板部２８が延出されている。
【００５４】
上板部２５は、その左側周縁部が窓枠部２４の左上端部近傍から上方に向かって延び、上側周縁部が窓枠部２４の左端部近傍から左右方向略中央部までの範囲にかけてほぼ窓枠部２４の上辺部に沿って形成され、右側周縁部が前記上側周縁部の右端部近傍から窓枠部２４の右上端部近傍に向けて下方に傾斜しているように形成されている。
【００５５】
右板部２６は、その上側周縁部が上板部２５の右側周縁部から連なって右方向に向かって下方へ傾斜し、右側周縁部が上側周縁部の右端部から窓枠部２４の右下端部近傍に向けて緩やかに湾曲しているように形成され、全体として下方に向かうにつれ先細りした形状となっている。
【００５６】
左板部２７は、その上側周縁部が窓枠部２４左上端部近傍から左方向に向かって延び、左側周縁部が窓枠部２４の上端部近傍から上下方向略中央部をやや過ぎた位置までの範囲においてほぼ窓枠部２４の左辺部に沿って形成され、下側周縁部が左側周縁部の下端部から窓枠部２４の左下端部近傍に向けて緩やかに湾曲しているように形成されている。
【００５７】
下板部２８の下側周縁部は左右両板部２６，２７の周縁部から連なるように下に凸の略円弧形状となっている。
【００５８】
さて、右板部２６には前後方向に貫通した右開口部３０が設けられている。右開口部３０は右板部２６に対しかなりの領域を占め、その形状も右板部２６と略同一形状となっている。右開口部３０には当該右開口部３０と略相似形状（略同一形状）の右透光パネル３１が取着されている。右透光パネル３１は、略同一形状の前パネル３２、後パネル３３及び保護パネル３４が重ね合わされた複層構造となっている。重ね合わせの順序は前方より保護パネル３４、前パネル３２、後パネル３３の順となっている。各パネル３２，３３，３４は、本実施の形態においては透光性を有する透明又は半透明の樹脂により形成されている。但し、前パネル３２、後パネル３３は、透光性を有する部材で有れば、樹脂に限らず他の材質のもの例えばガラス等でもよい。
【００５９】
図５に示すように、前パネル３２の前面側（光の出射面側）、後パネル３３の背面側（光の入射面側）には、それぞれ複数の直線状凸部３５が設けられている。本実施の形態では、前後両パネル３２，３３における各直線状凸部３５はその断面形状が略半円形状をなし、所定方向に沿って延びている。詳しくは、前パネル３２では、鉛直方向に対して斜め４５度左下がりの傾きに沿って延びた複数の直線状凸部３５が列状に並んでいる。後パネル３３では、鉛直方向に対して斜め４５度右下がりの傾きに沿って延びた複数の直線状凸部３５が列状に並んでいる。従って、前後両パネル３２，３３が重ね合わされた状態では、前後両パネル３２，３３に設けられた直線状凸部３５は互いに略直交した状態となる。なお、前後両パネル３２，３３における直線状凸部３５の配列ピッチは後述するＬＥＤ４３の大きさと比較してより微細なものとなっている。
【００６０】
同様に、左板部２７にも左開口部３７が設けられ、当該左開口部３７には左透光パネル３８が取着されている。なお、左透光パネル３８の構成は、上記右透光パネル３５と略同一のためその説明を省略する。
【００６１】
一方、後ベース枠２３の背面側には各種電飾部材が取着されている。詳しくは、右板部２６の背面側には電飾部材を配設するための右側部取付部材４０が取着されている。右側部取付部材４０は、電飾部材が係止される係止板４１と、当該係止板４１から前方に向けて突出した複数の支柱部４２とを有している。右側部取付部材４０は、各支柱部４２の先端が右板部２６の背面に当接した状態で所定の固定手段により固定されている。従って、電飾部材が前記右透光パネル３１から所定間隔をおいて配置されることとなる。本実施の形態では、電飾部材として、係止板４１の前面側において複数のＬＥＤ４３を有する右側部ＬＥＤ基板４４が取着されている。
【００６２】
一方、左板部２７の背面側にも同様に、左側部ＬＥＤ基板４５が左側部取付部材４６を介して取着されている。従って、左側部ＬＥＤ基板４５も同様に左透光パネル３８から所定間隔をおいて配置されることとなる。
【００６３】
さらに、上板部２５の右側周縁部及び右板部２６の上側周縁部の上方の後方位置において、右上側部ＬＥＤ基板４７が右上部取付部材４８を介して取着されている。なお、右上部取付部材４８も係止板５０及び複数の支柱部４９を有しており、各支柱部４９の先端は上板部２５又は右板部２６の背面に当接状態で固定されている。また、右上部取付部材４８の係止板５０は、前記右側部取付部材４０の係止板４１と略面一となるように配置されている。従って、右上部ＬＥＤ基板４７の配置位置と、右側部ＬＥＤ基板４４の配置位置とは前後方向に略同一位置となっている。
【００６４】
さて、前ベース枠２２は、その下部において上記遊技盤５の開口部にはめ込まれる嵌込み部５１と、その上部において嵌込み部５１と連なった上梁部５２とを備えている。嵌込み部５１は、右板部２６の右側周縁部、左板部２７の左側周縁部及び下板部２８の下側周縁部に沿って形成され、略Ｕ字形状となっている。嵌込み部５１及び上梁部５２の周囲には遊技盤５面上に配設される複数のフランジ部５３が形成されている。
【００６５】
上梁部５２は、その両側部が嵌込み部５１の左右両端部より略上方に向かって延出され、その中央部が上に凸の略円弧形状となっている。上梁部５２の前面側には、当該上梁部５２のほぼ全域において、前方に向けて突出した天井部５４が設けられている。天井部５４の頂上部には遊技球Ｂが通過可能な開口部５５が形成されている。
【００６６】
上梁部５２の左側部には内方向に延出された下垂部５７が設けられている。下垂部５７の下側周縁部は、上梁部５２の左端部近傍から右方向に向けて延び、右方向に向かうにつれ上方に向けて緩やかに湾曲し、さらに右方向に向かうにつれ徐々にその傾きが略水平方向、斜め右下方向へとなるように緩やかに湾曲した形状となっており、その右端部が前記開口部５５の右端部の下方位置をやや越えた位置まで達している。また、開口部５５の右端部近傍から下方へ延出された下垂部５７の右側周縁部は、所定位置より前記下側周縁部の右端部に向けて斜め右下がりに傾斜している。
【００６７】
下垂部５７の前面側には各種役物が取着され、背面側には前記役物を駆動させる駆動機構が設けられている。詳しくは、図６に示すように、下垂部５７の背面側には取付凹部６０が形成されている。取付凹部６０内には駆動伝達部材６１が左右方向に摺動可能に取着されている。駆動伝達部材６１は、上下方向に延びる縦軸部６２と、縦軸部６２の下端部より左側（図６における右側）へ摺動方向に沿って延びる左操作部６３と、縦軸部６２の上端部より右側へ摺動方向に沿って延びる右操作部６４とから構成されている。
【００６８】
縦軸部６２には前後方向に貫通し上下方向に長い縦長孔６５が設けられている。左操作部６３と右操作部６４にはそれぞれ前後方向に貫通し摺動方向に長い左長孔６６、右長孔６７が形成されている。当該長孔６６，６７にはそれぞれ下垂部５７の背面側から突出したボス６９，７０が差し込まれている。
【００６９】
下垂部５７には、ボス６９の左側、ボス７０の右側においてそれぞれ前後方向に貫通し摺動方向に長い略円弧状の左円弧長孔７１、右円弧長孔７２が形成されている。各円弧長孔７１，７２は下に凸となる円弧形状となっている。
【００７０】
円弧長孔７１，７２に対応するように、左操作部６３及び右操作部６４の先端部にはそれぞれ前後方向に貫通し上下方向に長い左端長孔７３、右端長孔７４が形成されている。
【００７１】
下垂部５７の背面側には、前記取付凹部６０を覆い、駆動伝達部材６１の脱落を防止する取付カバー７５が取着されている（図２等参照）。取付カバー７５には、上記縦軸部６５の位置に対応して前後方向に貫通した略円形の開口部７５ａが形成されている。
【００７２】
取付カバー７５の背面側には開口部７５ａの後方においてモータ７６が取着されている。モータ７６の回転軸の先端部には開口部７５ａに差し込まれる円盤体７７が取着されている。円盤体７７の前面側にはモータ７６の回転軸線上から外れた位置において前方へ突出した棒状凸部７８が設けられている。棒状凸部７８は上記縦長孔６５に差し込まれている。
【００７３】
一方、下垂部５７の前面側には複数の薄板状の装飾パネル８０が取着され、その前面側には上記左円弧長孔７１、右円弧長孔７２の位置に対応してそれぞれ大可動部材８１、中可動部材８２が回動可能に軸支されている。なお、各装飾パネル８０には左円弧長孔７１、右円弧長孔７２に対応した図示しない孔部が形成されている。さらに、中可動部材８２の右側には小固定部材８３が取着されている。下垂部５７の前面側には、透明又は半透明の役物カバー８５が取着されている。役物カバー８５は、下垂部５７と略同一形状で断面凹形状に構成されており、その右側壁部８６は下垂部５７の右側周縁部に沿って傾斜している。
【００７４】
ここで大可動部材８１及び中可動部材８２に関連した構成部分について詳しく説明する。大可動部材８１及び中可動部材８２の上部にはそれぞれ前後方向に貫通した軸孔８７，８８が形成されている。軸孔８７，８８にはそれぞれ軸棒８９，９０が差し込まれている。下垂部５７の前面側及び役物カバー８５の背面側には、軸棒８９を受ける一対の軸受け部９１，９２、軸棒９０を受ける一対の軸受け部９３，９４がそれぞれ相対向するように形成されている。
【００７５】
大可動部材８１及び中可動部材８２の背面側には、それぞれ軸孔８７，８８の下方において、上記左円弧長孔７１、右円弧長孔７２の位置に対応するように棒状の操作子９５，９６が後方に向けて突出形成されている。操作子９５，９６はそれぞれ左円弧長孔７１、右円弧長孔７２を介して上記左端長孔７３、右端長孔７４に差し込まれている。
【００７６】
上記構成に基づき、モータ７６が回転すると、この回転動作が円盤体７７を介して駆動伝達部材６１に伝達され、駆動伝達部材６１が左右方向に往復動する。そして、駆動伝達部材６１の往復動作が操作子９５，９６を介して大可動部材８１、小固定部材８２に伝達される。大可動部材８１、小固定部材８２は軸棒８９，９０を中心に往復回動する。
【００７７】
さて、下垂部５７の下部には、前ベース枠２２の左右方向略中央部において報知表示部１００が取着されている。報知表示部１００は、下垂部５７に固定された基部１０１と、基部１０１の前面側に取着された透光性レンズ１０２と、透光性レンズ１０２の前面側を覆う被覆部１０３と、基部１０１の背面側に取着された報知用ＬＥＤ基板１０４とにより構成されている。
【００７８】
報知用ＬＥＤ基板１０４には複数のＬＥＤ１０５が設けられている。基部１０１には各ＬＥＤ１０５に対応した複数の孔部１０６が形成され、透光性レンズ１０２の前面側には各ＬＥＤ１０５に対応して複数の絵柄が象られている。被覆部１０３には前記各絵柄と略同一形状の絵柄孔１０７が形成されている。
【００７９】
下垂部５７の右側には、上記嵌込み部５１の右端部より上記右板部２６の上側周縁部に沿って延出された天板部１１０が設けられている。天板部１１０の先端部は下垂部５７の右端部に連接されている。天板部１１０の略中央部には上下方向に貫通した監視孔１１２が形成されている。これにより、下垂部５７の右側において長窓部１１３が形成される。長窓部１１３は上記右上部ＬＥＤ基板４７の前方に位置している。
【００８０】
長窓部１１３には当該長窓部１１３と略同一形状の右上透光パネル１１５が取着されている。なお、右上透光パネル１１５の構成は、上記右透光パネル３１や左透光パネル３８とほぼ同様のためその説明を省略する。
【００８１】
さて、前ベース枠２２の右側部には、前記右透光パネル３１及び右上透光パネル１１５の前面側を覆うように透光性を有するレンズカバー１１７が取着されている。本実施の形態では、レンズカバー１１７と、右透光パネル３１及び右上透光パネル１１５とによって囲まれた空間部分によって、上記開口部５５を通過した遊技球Ｂをセンターフレーム２１下部へと案内する球案内流路が形成される。
【００８２】
レンズカバー１１７は、その前面部において、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。
【００８３】
各レンズ部１１８，１１９，１２０は、その上端部が上記天井部５４にまで達しており、左右方向の幅が下方に向かうにつれ先細りしている。右レンズ部１１８及び中レンズ部１１９の下端部は上記窓枠部２４の右下端部近傍にまで達しており、左レンズ部１２０の下端部は右中レンズ部１１８，１１９の下端部よりやや上方に位置している。
【００８４】
また、前後方向に対して、各レンズ部１１８，１１９，１２０は、下方に向かうにつれその前面部がより後方へ位置するように緩やかに湾曲している。各レンズ部１１８，１１９，１２０の上端部近傍における前面部は天井部５４の前端部近傍に位置している。右レンズ部１１８及び中レンズ部１１９の下端部は窓枠部２４の前後方向略中央部に位置しており、左レンズ部１２０の下端部は右板部２６の前面部近傍に位置している。
【００８５】
左レンズ部１２０の左側部には、当該左側部から後方へ延出された左側壁部１２１が設けられている。左側壁部１２１の外面には前後方向に沿って延びた複数の直線状凸部１２２が列状に並んで形成されている。
【００８６】
左側壁部１２１は、上記下垂部５７の右端部（上記天板部１１０）より上部分が下垂部５７の形状に合わせて切り欠かれ当該下垂部５７に当接し、それより下部分が前記右板部２６に当接している。
【００８７】
左レンズ部１２０の右側部と中レンズ部１１９の左側部との間には段差が形成されており、中レンズ部１１９がより前方に位置している。当該段差部分には中側壁部１２３が形成されている。
【００８８】
同様に、中レンズ部１１９の右側部と右レンズ部１１８の左側部には段差が形成されており、右レンズ部１１８がより前方へ位置している。当該段差部分には右側壁部１２４が形成されている。また、中右側壁部１２３，１２４の外面には、左側壁部１２１同様に、複数の直線状凸部１２２が形成されている。なお、中側壁部１２３の下端部は遊技球Ｂが通過可能なように切り欠かれている。
【００８９】
左レンズ部１２０の上端部には、上記天井部５４と役物カバー８５との前面側の隙間を覆う被覆部１２５が設けられている。
【００９０】
レンズカバー１１７の背面側には、右レンズ部１１８及び中レンズ部１１９を仕切る右リブ１２６と、中レンズ部１１９及び左レンズ部１２０を仕切る左リブ１２７とが設けられている。これにより、レンズカバー１１７には、右レンズ部１１８、中レンズ部１１９、左レンズ部１２０の背面側において、それぞれ遊技球Ｂが通過可能な右溝部１２８、中溝部１２９、左溝部１３０が形成される。
【００９１】
右リブ１２６及び左リブ１２７は、上記天板部１１０より上部分が切り欠かれ上記右上透光パネル１１５に当接し、それより下部分の一部が上記右透光パネル（保護パネル３４）に当接している。
【００９２】
右リブ１２６の長手方向略中央部より下部全域が切り欠かれ、右溝部１２８と中溝部１２９との間を遊技球Ｂが通過可能となっている。また、左リブ１２７の下端部近傍における一部分が切り欠かれ、中溝部１２９と左溝部１３０との間を遊技球Ｂが通過可能となっている。
【００９３】
一方、保護パネル３４の前面側には、右リブ１２６及び左リブ１２７の切り欠き部分に対応して、誘導リブ１３３と規制リブ１３４とが設けられている。誘導リブ１３３は、遊技球Ｂを左溝部１３０から中溝部１２９へと誘導可能なように段階的にその傾斜角度を変化させつつ右下がりに形成されている。規制リブ１３４は、誘導リブ１３３によって誘導される遊技球Ｂの右方向へ動きを規制するように上下方向に沿って形成されている。
【００９４】
上記構成により、上記開口部５５を通過した遊技球Ｂは、上記役物カバー８５の右側壁部８６に沿って右方向へ流下し、左溝部１３０内へと導かれる。当該遊技球Ｂは左溝部１３０に沿って流下し、誘導リブ１３３及び規制リブ１３４によって中溝部１２９へと導かれる。そして、当該遊技球Ｂは右溝部１２８又は中溝部１２９に沿って流下し、上記中側壁部１２３の切り欠き部より後述するステージ部１４５へと排出される。
【００９５】
一方、後ベース枠２２の左板部２７（左透光パネル３８）の前面側には、装飾カバー１３８が取着されている。装飾カバー１３８は、上記レンズカバー１１７の下部と略左右対称形状となっている。
【００９６】
さて、嵌込み部５１の下部には、上記下板部２８の下側周縁部の形状に合わせて凹部１４０が形成されている。凹部１４０の左右方向略中央部には、遊技球Ｂを上記作動チャッカー１３の方へ誘導可能な誘導路１４１が形成されている。誘導路１４１は、後部が遊技球Ｂほぼ１つ分の幅に、前部が遊技球Ｂ複数個分の幅に構成されている。また、誘導路１４１の前端部には遊技球Ｂが通過可能な開口部１４２が形成されている。
【００９７】
嵌込み部５１の下部には、凹部１４０を覆うステージ部材１４５が取着されている。ステージ部１４５は、左右方向に沿って左右両端部から中央部に向かうにつれ下方へ傾斜し、さらに中央に向かうにつれ上方へ傾斜し、左右方向中央部が凸状に形成されている。当該左右方向中央部（頂上部）には後方に向けて傾斜した傾斜部１４６が形成されている。一方、後ベース枠２３には、傾斜部１４６に対応するように、窓枠部２４及び下板部２８の左右方向略中央部において誘導溝１４７が形成されている。誘導溝１４７は誘導路１４１の後部に連通している。
【００９８】
上記構成により、例えば上記球案内流路より排出された遊技球Ｂはステージ部材１４５上を転動する。一部の遊技球Ｂは傾斜部１４６、誘導溝１４７及び誘導路１４１を通って上記作動チャッカー１３の方へ誘導される。
【００９９】
さて、上述したように、右板部２６は、窓枠部２４、上板部２５、下板部２８、及び左板部２７と一体形成され、後ベース枠２３を構成している。本実施の形態において、右板部２６及び窓枠部２４の一部により取付枠１４９が形成されている（取付枠１４９は手段１における取付手段に相当する）。取付枠１４９に形成された右開口部３０を塞ぐようにして（嵌合されるようにして）、前パネル３２、後パネル３３及び保護パネル３４よりなる右透光パネル３１が取着されている。また、本例では前パネル３２、後パネル３３及び保護パネル３４が板状体に相当する。このように、本実施の形態では、センターフレーム２１の一部（取付枠１４９、右透光パネル３１，ＬＥＤ４３）によって装飾手段が構成されている。
【０１００】
ここで、取付枠１４９及び右透光パネル３１等について図３乃至１４を参照しつつ詳細に説明する。
【０１０１】
図８は取付枠１４９の背面図であって、図７は右透光パネル３１の取着状態における図８のＪ−Ｊ線断面図である。これらの図に示すように、右板部２６は、該右板部２６の外形を形成する枠部１５０を備えている。また、該枠部１５０及び窓枠部２４の壁面から右開口部３０の内周方向に向かって延びるよう支持部１５１が形成されている。
【０１０２】
枠部１５０及び支持部１５１には、右透光パネル３１を支持するための支持爪１５２、及び右透光パネル３１を係止するための係止爪１５３，１５４，１５５が内周方向に向かって延びるよう一体形成されている。なお、これら１５２〜１５５により、取付部が構成されている。前記支持爪１５２は、右透光パネル３１の前面（保護パネル３４の前面）側縁部を支持しており、これにより上記各手段における支持部が構成されている。また、係止爪１５３は保護パネル３４と、係止爪１５４は前パネル３２と、係止爪１５５は後パネル３３とそれぞれ対応しており、各々の後面側縁部を係止するよう構成されている。なお、係止爪１５３は、上記各手段における特定係止部に相当し、係止爪１５４，１５５は他の係止部に相当する。
【０１０３】
加えて、各支持爪１５２から各係止爪１５５までの距離Ｌ１は、右透光パネル３１の厚みと等しくなるよう構成されている。詳しくは、各支持爪１５２から各係止爪１５３までの距離は保護パネル３４の厚みと等しく、係止爪１５３に係止された保護パネル３４から各係止爪１５４までの距離は前パネル３２の厚みと等しく、係止爪１５４に係止された前パネル３２から各係止爪１５５までの距離は後パネル３３の厚みと等しくなるよう構成されている。尚、各係止爪１５３，１５４，１５５の形状は、それぞれ所定箇所において断面略三角形状や略断面Ｌ字状等に形成されている。
【０１０４】
前記支持部１５１には、上記支持爪１５２、係止爪１５３，１５４，１５５の外にも、右透光パネル３１の挿通を円滑に行うための円柱状の案内手段としての位置決め部１５６が形成されている。
【０１０５】
尚、取付枠１４９には、該取付枠１４９に対応する部材（例えば、右側部取付部材４０、レンズカバー１１７）を取付けるための取付孔が複数箇所に設けられており、かかる取付孔に対し、図示しないねじが挿通あるいは螺合されることによって対応する部材の取付けが行われるようになっている。
【０１０６】
図９，１２に示すように、前記保護パネル３４は、前記位置決め部１５６に対応して切り欠かれた案内溝１７０と、前記係止爪１５４，１５５に嵌合されるよう切り欠かれた爪受部１７１，１７２とを備えている。爪受部１７１は係止爪１５５に、爪受部１７２は係止爪１５４に対応するよう構成されている。
【０１０７】
図１０，１２に示すように、前パネル３２は、前記位置決め部１５６に対応して切り欠かれた案内溝１７０と、前記係止爪１５３，１５５に嵌合されるよう切り欠かれた爪受部１７１，１７３とを備えている。爪受部１７３は係止爪１５３に対応するように構成されている。
【０１０８】
図１１，１２に示すように、後パネル３３は、前記位置決め部１５６に対応して切り欠かれた案内溝１７０と、前記係止爪１５４に嵌合されるよう切り欠かれた爪受部１７２とを備えている。尚、案内溝１７０、爪受部１７１，１７２，１７３に関し、各パネル３２〜３４で同一の符号を付したものは、互いに対応する位置に形成されていることを示している。例えば、爪受部１７１は、係止爪１５５の挿通を許容するべく、保護パネル３４及び前パネル３２の同位置（互いに対応する位置）に設けられた切欠き部分である。
【０１０９】
以上のように構成された取付枠１４９と右透光パネル３１とを取付ける際の取付工程について説明する。
【０１１０】
はじめに、図１２に示すように、前記各パネル３２，３３，３４を保護パネル３４、前パネル３２、後パネル３３の順に相対配置する。そして、該保護パネル３４、前パネル３２、後パネル３３を取付枠１４９に対して相対するように配置する。
【０１１１】
続いて、図１４に示すように、前記保護パネル３４、前パネル３２、後パネル３３の順に右透光パネル３１を取付枠１４９に取付ける。そのときの手順について以下に説明する。
【０１１２】
まず、保護パネル３４を右板部２６の上側に位置する係止爪１５３（図８に示す係止爪１５３ａ）の前面側に嵌め込む。そして、保護パネル３４を支持爪１５２に当接させ、支持させる。このとき、保護パネル３４の案内溝１７２が、位置決め部１５６に当接させられる。該当接によって、保護パネル３４の右開口部３０に対する位置合わせを行うことができ、ひいては保護パネル３４を右開口部３０の取付位置へとスムースに案内することができる。加えて、前記爪受部１７２，１７３が前記係止爪１５３，１５４の挿通を許容するよう構成されているため、係止爪１５３に至るまでの挿通をスムースに行うことができる。
【０１１３】
そして、前記案内（詳しくは、保護パネル３４の押圧）によって、右開口部３０に挿通された保護パネル３４が各支持爪１５２の背面に支持され、各係止爪１５３の前面に係止される。支持爪１５２の支持により、保護パネル３４の前方への移動（図７における下方への移動）が規制される。また、係止爪１５３の係止により、保護パネル３４の奥方への移動（図７における上方への移動）が規制される。つまり、保護パネル３４が取付枠１４９に対し取付けられる。
【０１１４】
次に、保護パネル３４の取付過程と同様にして、前記保護パネル３４の取付けられた取付枠１４９に対し、前パネル３２が取付けられる。詳しくは、前パネル３２が案内溝１７０において位置決め部１５６と当接し、右開口部３０の取付位置へと案内される。加えて、前記爪受部１７２が前記係止爪１５４の挿通を許容するよう構成されているため、係止爪１５４に至るまでの挿通をスムースに行うことができる。さらに、前記爪受部１７３が前記係止爪１５３の挿通を許容するよう構成されているため、前パネル３２と保護パネル３４とを当接させることができる。そして、前記案内（詳しくは、前パネル３２の押圧）によって、前パネル３２の前面が保護パネル３４に支持され、前パネル３２の背面が係止爪１５４に係止されることによって、前パネル３２の前方と奥方への移動が規制される。つまり、前パネル３２が取付枠１４９に対し取付けられる。
【０１１５】
続いて、保護パネル３４及び前パネル３２の取付過程と同様にして、前記保護パネル３４及び前パネル３２の取付けられた取付枠１４９に対し、後パネル３３が取付けられる。詳しくは、後パネル３３が案内溝１７０において位置決め部１５６と当接し、右開口部３０の取付位置へと案内される。加えて、前記爪受部１７２が前記係止爪１５４の挿通を許容するよう構成されているため、後パネル３３と前パネル３２とを当接させることができる。そして、前記案内（詳しくは、後パネル３３の押圧）によって、後パネル３３の前面が前パネル３２に支持され、後パネル３３の背面が係止爪１５５に係止されることによって、後パネル３３の前方と奥方への移動が規制される。つまり、後パネル３３が取付枠１４９に対して取付けられる。以上のようにして、右透光パネル３１（保護パネル３４、前パネル３２、後パネル３３）が取付枠１４９に対して取付けられ、右透光パネル３１の取付工程が終了する。
【０１１６】
一方、右透光パネル３１を取り外す際においては、前記手順を踏まえ、右透光パネル３１を取付枠１４９の前面側から押圧することで、係止爪１５３，１５４，１５５による係止を比較的簡単に解除することができる。
【０１１７】
なお、左板部２７及び左透光パネル３８の構成は、上記右板部２６及び右透光パネル３１と略同一のためその説明を省略する。
【０１１８】
以上詳述したように、本実施の形態では、前記ＬＥＤ４３からの照射光を、右透光パネル３１を介して視認させることで、装飾機能が付与され、遊技者は、右透光パネル３１等（レンズカバー１１７を含む）を介して視認される視認態様を堪能することができる。
【０１１９】
本実施の形態では、右透光パネル３１を構成する各パネル（保護パネル３４、前パネル３２、後パネル３３）が、それぞれに対応する係止爪（係止爪１５３，１５４，１５５）によって係止される。このような構成を採用することで、一度に各パネル３２〜３４を係止する場合に比べて、取付作業に際し、相互の位置ずれが生じることがなく、確実に所定箇所に取付けることができる。また、各パネル３２〜３４毎にそれぞれ取付けられていることから、相互間でのがたつきがなく、取付状態の安定化を図ることができ、ひいては、右透光パネル３１に基づく視認様態を遊技者に安定して提供することができる。
【０１２０】
また、遊技場側、或いは、メーカー側で、右透光パネル３１を構成する各種透光特性を有する各パネル（前パネル３２，後パネル３３，保護パネル３４）を、適宜容易に交換等することができる。つまり、前記各パネルが前記それぞれに対応する係止爪（係止爪１５３，１５４，１５５）によって各々係止されているため、取替えの対象とされたパネルの前方に位置するパネルの取付状態を保ったまま、取替えの対象とされたパネル及び該パネルの奥方に位置する板状体だけを取付枠１４９から取り外すことができる。例えば、保護パネル３４、前パネル３２の取付状態を保ったまま、後パネル３３を取外す事ができる。それによって、取替えの対象とされたパネル（上記例では後パネル３３）と異なる透光特性を有した板状体に交換等した上で、再度係止状態に復帰させることで、容易に透光態様、光の視認態様を別のものにすることができる。そのため、装飾に関し、容易にバリエーションをもたせることができ、結果として興趣の飛躍的な向上を図ることができる。
【０１２１】
加えて、前記右透光パネル３１のパネルの枚数を変更しようとした場合、例えば後パネル３３を省略しようとした場合においても、残りの保護パネル３４及び前パネル３２は独立して取付けられているため、がたつかせることなくこれらの安定した取付状態を保持することができる。さらに、保護パネル３４の前面（右透光パネル３１の前面）は遊技球Ｂに衝突される箇所に配設されているため、遊技球Ｂの衝突による右透光パネル３１のがたつきによって起こり得る損傷や異音の発生を防止することができる。
【０１２２】
また本例では、保護パネル３４と前パネル３２、前パネル３２と後パネル３３とを当接状態で取付けることとしている。このため、予め設定しておいた右透光パネル３１の視認態様を、前記取付状態において、設定通りに再現することが容易となる。さらに、各パネル間の空間を省略しているため、その分スペースを有効に利用できるとともに、爪等を最小限に抑えることで構成の簡素化を図ることができる。
【０１２３】
さらに、各係止爪１５３，１５４，１５５に対応するように爪受部１７１，１７２，１７３が設けられているため、係止爪１５３〜１５５等によって取付けが阻害されることなく、各パネル３２〜３４をそれぞれスムースに所定位置に取付けることができる。結果として、取付作業性の飛躍的な向上を図ることができる。
【０１２４】
さらに、遊技球Ｂの流路に面する保護パネル３４の存在により、遊技球Ｂによる各種透光特性を有する前パネル３２及び後パネル３３への悪影響を抑制することができる。すなわち、上記例にあっては、演出に大きな影響を与える直線状凸部３５が、遊技球Ｂからの衝突応力により欠けたり、磨耗したりしてしまうといった事態を抑制することができる。
【０１２５】
尚、上述した実施の形態の記載内容に限定されず、例えば次のように実施してもよい。
【０１２６】
（ａ）板状体の構成については特に限定されるものではないが、前パネル３２、後パネル３３、保護パネル３４のうち遊技球が当接しうる側の面を略平坦面にすることが望ましい。例えば、保護パネル３４を省略した場合、前パネル３２が遊技球Ｂに当接しうることとなるが、この場合、直線状凸部３５が背面に位置するように設置することが望ましい。かかる構成により、欠けたり、磨耗してしまうといった事態を抑制することができる。結果として、前パネル３２、後パネル３３等による演出を鮮明な状態で長期間視認させることができる。
【０１２７】
（ｂ）上記（ａ）でも述べたように、保護パネル３４を省略してもよい。
【０１２８】
（ｃ）上記実施の形態では、前パネル３２の前面は保護パネル３４に支持され、後パネル３３の前面は前パネル３２に支持されているが、必ずしもこのような構成に限定されるものではない。例えば、図１５に示すように、各パネル３２〜３４の前後両面側をそれぞれ係止爪等１５２〜１５５で独立して係止することとしてもよい。さらに、図１６（ａ）に示すように、保護パネル３４が支持爪１５２の背面と係止爪１５３の前面とにより取付けられ、前パネル３２が係止爪１５３の背面と係止爪１５４の前面とにより取付けられ、後パネル３３が係止爪１５４の背面と係止爪１５５の前面とにより取付けられるよう構成されてもよい。この場合、係止爪１５３に支持される前パネル３２の部分、及び係止爪１５４に支持される後パネル３３の部分を、上記実施の形態のような切欠き部とは異なり、凹形状としてもよい。このように構成することで、各パネル３４，３２，３３間の隙間をより小さくでき、同図のように互いに当接させて省スペース化を図ることも可能となる。しかも、各パネル３２〜３４の前後両面側がそれぞれ係止されているため、図１６（ｂ）に示すように、中央の前パネル３２を省略したとしても、保護パネル３４及び後パネル３３をがたつかせることなく安定して取付けることができる。
【０１２９】
（ｄ）上記実施の形態では、右透光パネル３１の取外しに際して、右透光パネル３１を取付枠１４９の前面側から押圧することで係止爪１５３，１５４，１５５による係止を解除していたが、必ずしもこのような解除方法に限定されるものではない。例えば、前パネル３２、後パネル３３、保護パネル３４のそれぞれの背面から奥方に向かって延びる取っ手（突起）を設け、該各取っ手を引っ張ることによって、係止爪１５３，１５４，１５５による係止を解除してもよい。また、前記各取っ手の設置に伴い、各板状部３３，３４に前記取っ手と対応する切欠き溝を設けることとしてもよい。
【０１３０】
（ｅ）上記実施の形態における、右透光パネル３１を構成するパネルの数、形状等は特に限定されるものではない。
【０１３１】
（ｆ）また、支持爪１５２、係止爪１５３，１５４，１５５の形状、数等は特に限定されるものではない。すなわち、本例においては、支持爪１５２が右透光パネル３１の前方への移動（図７における下方への移動）を規制し、係止爪１５３，１５４，１５５が右透光パネル３１の奥側への移動（図７における上方への移動）を規制することができる構成となっていればよい。
【０１３２】
（ｇ）上記実施の形態では、右透光パネル３１を構成する各パネル（前パネル３２，後パネル３３，保護パネル３４）が一枚づつ順番に取付けているが、複数枚のパネルをまとめて取付けてもよいし、右透光パネル３１として前記各パネルを一度に取付けてもよい。
【０１３３】
（ｈ）上記実施の形態における、保護パネル３４の取付けに際し、保護パネル３４を右板部２６の上側に形成されている係止爪１５３（係止爪１５３ａ）に嵌め込んでから、右透光パネル３１を押圧して係止爪１５３に係止させることとしているが、保護パネル３４を各係止爪１５３（係止爪１５３ａも含む）に対し同時に係止させることとしてもよい。尚、前パネル３２、後パネル３３についても同様である。
【０１３４】
（ｉ）上記実施の形態では、右透光パネル３１を開口部３０にスムースに案内すべく、位置決め部１５６と案内溝１７０とが設けられているが、特に案内手段となる位置決め部１５６と案内溝１７０の形状や数等は限定されるものではない。例えば、複数箇所にテーパ状の位置決め部を設けてもよい。また、案内手段なるものを省略してもよい。
【０１３５】
（ｊ）上記実施の形態では、装飾手段に関する構成がパチンコ機に具体化されているが、必ずしもパチンコ機に限定されるものではなく、例えばスロットマシンやパチンコ機とスロットマシンとが融合した遊技機等に具体化することもできる。
【図面の簡単な説明】
【図１】一実施の形態におけるパチンコ機を示す正面図である。
【図２】センターフレームを示す斜視図である。
【図３】センターフレームを示す正面分解斜視図である。
【図４】センターフレームを示す背面分解斜視図である。
【図５】直線状凸部を示す図である。
【図６】駆動伝達部材等を示す図である。
【図７】右透光パネルの取着状態における図８のＪ−Ｊ線断面図である。
【図８】取付枠の背面図である。
【図９】保護パネルの背面図である。
【図１０】板状体（前パネル）の背面図である。
【図１１】板状体（後パネル）の背面図である。
【図１２】取付枠と右透光パネル（保護パネル、前パネル、後パネル）との配置関係を表す分解斜視図である。
【図１３】右透光パネルの取着過程における部分断面図である。
【図１４】右透光パネルの取着状態における右板部の分解斜視図である。
【図１５】保護パネル、前パネル、後パネルの取着状態における部分断面図である。
【図１６】（ａ）は、保護パネル、前パネル、後パネルの取着状態における部分断面図であり、（ｂ）は、保護パネル、後パネルの取着状態における部分断面図である。
【符号の説明】
２３…装飾手段としての後ベース枠、２４…窓枠部、２６…右板部、３０…右開口部、３１…右透光パネル、３２…板状体としての前パネル、３３…板状体としての後パネル、３４…板状体としての保護パネル、１４９…取付手段としての取付枠、１５２…取付部、支持部としての支持部、１５３，１５４，１５５…取付部、係止部としての係止爪、１５６…案内手段としての位置決め部、１７１，１７２，１７３…爪受部。
【図１】
2004065446.tif 000003
【図２】
2004065446.tif 000004
【図３】
2004065446.tif 000005
【図４】
2004065446.tif 000006
【図５】
2004065446.tif 000007
【図６】
2004065446.tif 000008
【図７】
2004065446.tif 000009
【図８】
2004065446.tif 000010
【図９】
2004065446.tif 000011
【図１０】
2004065446.tif 000012
【図１１】
2004065446.tif 000013
【図１２】
2004065446.tif 000014
【図１３】
2004065446.tif 000015
【図１４】
2004065446.tif 000016
【図１５】
2004065446.tif 000017
【図１６】
2004065446.tif 000018